(57)【要約】【課題】コネクタハウジング相互の嵌合完了状態において第１コネクタハウジングの端子収容筒部の先端部に嵌合装着されているフロントホルダのガタつきを抑制することで端子接点部の摺動を防止し、端子接点部の摩耗を抑止することができる防水コネクタを提供すること。【解決手段】第１コネクタハウジング３３と第２コネクタハウジング３４との嵌合が完了したとき、第１コネクタハウジング３３の端子収容筒部３９の先端に嵌合装着されているフロントホルダ３６の先端が第２コネクタハウジング３４の対向面５０ａに当接すると共に、フロントホルダ３６の後端には端子収容筒部３９の基端側外周に嵌合装備されているパッキン３５から対向面に向かう押圧力が作用して、フロントホルダ３６の嵌合方向への移動が規制される構成。【選択図】図３
2011119103.tif 000002
【特許請求の範囲】
【請求項１】
第１接続端子を収容する端子収容筒部を備えた第１コネクタハウジングと、
前記端子収容筒部の外周に嵌合する嵌合用筒部の内側に前記第１接続端子に嵌合させる第２接続端子を支持した第２コネクタハウジングと、
前記端子収容筒部の基端側外周に嵌合装備されて、前記第１コネクタハウジングと前記第２コネクタハウジングとの嵌合が完了した状態で前記端子収容筒部と前記嵌合用筒部とに密着状態に接触してこれら端子収容筒部と嵌合用筒部との間を封止する環状のパッキンと、
前記端子収容筒部の先端部に嵌合装着されて前記パッキンの抜け止めと前記第１接続端子の先端部の位置決めとを果たすフロントホルダと、
を備える防水コネクタであって、
前記第１コネクタハウジングと前記第２コネクタハウジングとの嵌合が完了したとき、前記フロントホルダの先端が前記第２コネクタハウジングの対向面に当接すると共に、前記フロントホルダの後端には前記パッキンから前記対向面に向かう押圧力が作用して、コネクタハウジング間のガタつきを抑える力を増大させると共に、前記フロントホルダの嵌合方向への移動が規制されることを特徴とする防水コネクタ。
【請求項２】
前記端子収容筒部内には、当該端子収容筒部に挿入された第１接続端子と係合して第１接続端子の抜け止めをする端子係止ランスが一体形成され、
前記フロントホルダには、前記端子収容筒部に収容された第１接続端子の先端に当接して、前記端子係止ランスとの協働で、前記端子収容筒部内の第１接続端子を挟持固定するリブを備えたことを特徴とする請求項１に記載の防水コネクタ。
【請求項３】
前記パッキンは、前記端子収容筒部と前記嵌合用筒部との間に挟持される内筒部と、前記嵌合用筒部の先端部外周に嵌合する外筒部と、これら内筒部と外筒部の基端を連結して前記嵌合用筒部の先端面に当接する連結壁部と、を備えていることを特徴とする請求項１又は２に記載の防水コネクタ。
【請求項４】
前記第２コネクタハウジングは、前記嵌合用筒部の軸方向中間部の外周に係合突起を備え、
前記第１コネクタハウジングは、前記嵌合用筒部との間に前記嵌合用筒部を収容する収容空間を画成する外郭筒部と、前記第１コネクタハウジングと前記第２コネクタハウジングとの嵌合が完了するときに前記係合突起の後端に係合して前記第２コネクタハウジングの抜けを防止する係止アームと、を備え、
前記パッキンは、前記係合突起の後端を前記係止アームに押圧する方向の付勢力を前記嵌合用筒部に作用させることを特徴とする請求項１〜３のいずれか一つに記載の防水コネクタ。
【発明の詳細な説明】
【技術分野】
【０００１】
本発明は、防水コネクタに関する。
【背景技術】
【０００２】
図７は従来の防水コネクタの２つのコネクタハウジングの嵌合前の状態を示す縦断面図、図８は図７に示した２つのコネクタハウジングの嵌合完了状態を示す縦断面図である。
【０００３】
ここに示した防水コネクタ１は、下記特許文献１に開示されたもので、第１コネクタハウジング３と、第２コネクタハウジング４と、環状のパッキン５と、フロントホルダ６と、を備えている。
【０００４】
第１コネクタハウジング３は、第１接続端子８を収容する端子収容筒部９と、該端子収容筒部９の外周囲に収容空間１０を画成する外郭筒部１１と、係止アーム１２と、を備えている。
【０００５】
第１接続端子８は、電線１４の端部に圧着接続する電線圧着部８ａと、雄型接続端子が嵌合する角筒状の端子嵌合部８ｂとを備えた雌型接続端子である。第１接続端子８に接続された電線１４には、後述する端子収容筒部９の端子収容孔９ａとの間の隙間を埋めて外部から端子収容孔９ａへの雨滴の浸入を防止する防水栓１５が装着されている。
【０００６】
端子収容筒部９は、第１接続端子８をハウジング後端から挿入可能なように、第１接続端子８を収容する端子収容孔９ａが、後端から前方に貫通形成されている。端子収容筒部９は、端子収容孔９ａ内に突出する端子係止ランス９ｂを有している。端子係止ランス９ｂは、基準位置まで端子収容孔９ａ内に挿入された第１接続端子８に係合して第１接続端子８の抜けを防止する。
【０００７】
端子収容筒部９の外周囲の収容空間１０は、後述する第２コネクタハウジング４の嵌合用筒部を収容する空間である。
【０００８】
係止アーム１２は、第１コネクタハウジング３と第２コネクタハウジング４との嵌合が完了したときに、後述する第２コネクタハウジング４の係合突起の後端に係合して第２コネクタハウジング４の抜けを防止する。
【０００９】
第２コネクタハウジング４は、収容空間１０に挿入されて端子収容筒部９の外周に環状のパッキン５を介して嵌合する嵌合用筒部１７と、該嵌合用筒部１７の軸方向（図７では、矢印Ａ方向）中間部の外周に突設された係合突起１８と、第１接続端子８に嵌合させる第２接続端子１９を嵌合用筒部１７の内側に支持した端子支持部２０と、を備えている。
【００１０】
係合突起１８は、第１コネクタハウジング３と第２コネクタハウジング４との嵌合が完了したときに、図８に示すように、後端１８ａが第１コネクタハウジング３の係止アーム１２に係合して、第１コネクタハウジング３と第２コネクタハウジング４との嵌合状態をロックする。
【００１１】
第２接続端子１９は、第１接続端子８の端子嵌合部８ｂ内に嵌合する雄型接続端子である。
【００１２】
端子支持部２０の内面は、第１コネクタハウジング３と第２コネクタハウジング４との嵌合が完了したときに、端子収容筒部９の前方に対峙する対向面２０ａである。
【００１３】
環状のパッキン５は、端子収容筒部９の基端側外周に嵌合装備されて、第１コネクタハウジング３と前記第２コネクタハウジング４との嵌合が完了した状態のときに、端子収容筒部９と嵌合用筒部１７とに密着状態に接触して、これら端子収容筒部９と嵌合用筒部１７との間を封止（防水）する。
【００１４】
図７のパッキン５は、端子収容筒部９と嵌合用筒部１７との間に挟持される筒部５ａと、この筒部５ａの後端から半径方向外方に突出する鍔部５ｂとを備えている。図８に示すように、第１コネクタハウジング３と第２コネクタハウジング４との嵌合が完了したときに、鍔部５ｂには、嵌合用筒部１７の先端が当接する。
【００１５】
フロントホルダ６は、端子収容筒部９の先端部外周に嵌合装着される筒状部６ａと、端子収容孔９ａの前方を覆う先端壁６ｂとを備えている。筒状部６ａは、その後端（図７では右端）を環状のパッキン５の筒部５ａの先端に当接することにより、環状のパッキン５を抜け止めする。また、先端壁６ｂの内面は、第１接続端子８の先端部を位置決めしている。この先端壁６ｂは、第２接続端子１９を第１接続端子８側に誘導する端子誘導孔６ｃを有している。
【００１６】
即ち、フロントホルダ６は、端子収容筒部９の先端部に嵌合装着されて、パッキン５の抜け止めを果たすと共に、端子収容孔９ａに挿入された第１接続端子８の先端部の位置決めを果たす。
【先行技術文献】
【特許文献】
【００１７】
【特許文献１】特開２００１−３１９７２５号公報
【発明の概要】
【発明が解決しようとする課題】
【００１８】
ところが、特許文献１の防水コネクタ１は、図８に示したように、第１コネクタハウジング３と第２コネクタハウジング４との嵌合が完了したとき、フロントホルダ６の先端６ｃと、該先端６ｃが対向する第２コネクタハウジング４の対向面２０ａとの間には、間隙Ｓが残っている。
【００１９】
そのため、各構成部品の公差や組立誤差の影響で、フロントホルダ６に嵌合方向（図８の矢印Ｂ方向）のガタつきが発生することがあった。そして、このフロントホルダ６のガタつきに起因して、第１接続端子８と第２接続端子１９との間の端子接点部が摺動し、端子接点部の摩耗を早めるおそれがあった。
【００２０】
そこで、本発明の目的は、上記課題を解消することに係り、コネクタハウジング相互の嵌合完了状態において、第１コネクタハウジングと第２コネクタハウジングのガタつきを抑える力を増大させると共に、第１コネクタハウジングの端子収容筒部の先端部に嵌合装着されているフロントホルダのガタつきを抑制することで端子接点部の摺動を防止し、端子接点部の摩耗を抑止することができる防水コネクタを提供することにある。
【課題を解決するための手段】
【００２１】
本発明の前述した目的は、下記の構成により達成される。
（１）第１接続端子を収容する端子収容筒部を備えた第１コネクタハウジングと、
前記端子収容筒部の外周に嵌合する嵌合用筒部の内側に前記第１接続端子に嵌合させる第２接続端子を支持した第２コネクタハウジングと、
前記端子収容筒部の基端側外周に嵌合装備されて、前記第１コネクタハウジングと前記第２コネクタハウジングとの嵌合が完了した状態で前記端子収容筒部と前記嵌合用筒部とに密着状態に接触してこれら端子収容筒部と嵌合用筒部との間を封止する環状のパッキンと、
前記端子収容筒部の先端部に嵌合装着されて前記パッキンの抜け止めと前記第１接続端子の先端部の位置決めとを果たすフロントホルダと、
を備える防水コネクタであって、
前記第１コネクタハウジングと前記第２コネクタハウジングとの嵌合が完了したとき、前記フロントホルダの先端が前記第２コネクタハウジングの対向面に当接すると共に、前記フロントホルダの後端には前記パッキンから前記対向面に向かう押圧力が作用して、コネクタハウジング間のガタつきを抑える力を増大させると共に、前記フロントホルダの嵌合方向への移動が規制されることを特徴とする防水コネクタ。
【００２２】
（２）前記端子収容筒部内には、当該端子収容筒部に挿入された第１接続端子と係合して第１接続端子の抜け止めをする端子係止ランスが一体形成され、
前記フロントホルダには、前記端子収容筒部に収容された第１接続端子の先端に当接して、前記端子係止ランスとの協働で、前記端子収容筒部内の第１接続端子を挟持固定するリブを備えたことを特徴とする上記（１）に記載の防水コネクタ。
【００２３】
（３）前記パッキンは、前記端子収容筒部と前記嵌合用筒部との間に挟持される内筒部と、前記嵌合用筒部の先端部外周に嵌合する外筒部と、これら内筒部と外筒部の基端を連結して前記嵌合用筒部の先端面に当接する連結壁部と、を備えていることを特徴とする上記（１）又は（２）に記載の防水コネクタ。
【００２４】
（４）前記第２コネクタハウジングは、前記嵌合用筒部の軸方向中間部の外周に係合突起を備え、
前記第１コネクタハウジングは、前記嵌合用筒部との間に前記嵌合用筒部を収容する収容空間を画成する外郭筒部と、前記第１コネクタハウジングと前記第２コネクタハウジングとの嵌合が完了するときに前記係合突起の後端に係合して前記第２コネクタハウジングの抜けを防止する係止アームと、を備え、
前記パッキンは、前記係合突起の後端を前記係止アームに押圧する方向の付勢力を前記嵌合用筒部に作用させることを特徴とする上記（１）〜（３）のいずれか一つに記載の防水コネクタ。
【００２５】
上記（１）の構成によれば、第１コネクタハウジングと第２コネクタハウジングとの嵌合が完了したとき、フロントホルダの先端は第２コネクタハウジングの対向面に当接し、フロントホルダの先端と第２コネクタハウジングの対向面との間には、隙間が存在していない。しかも、パッキンにより対向面に向かって弾性的に押圧されている。
【００２６】
従って、コネクタハウジング相互の嵌合完了状態においては、フロントホルダが第２コネクタハウジングの対向面を押圧することにより、コネクタハウジング間のガタつきを抑える力を増大させることで端子接点部の摺動を防止することができ、端子接点部の摩耗を抑止することができる。
【００２７】
上記（２）の構成によれば、第１コネクタハウジングの端子収容筒部に収容された第１接続端子は、端子収容筒部内の端子係止ランスとフロントホルダのリブとで挟持固定して、端子接点部の摩耗を招く第１接続端子のガタつきを防止することができる。また、フロントホルダのリブは、フロントホルダの先端壁の内面を直接第１接続端子に当接させる場合と比較すると、第１接続端子との接触面積が小さくなるため、第１接続端子との接触部に弾性変形が生じ易く、各構成部品の寸法公差の影響等で第１接続端子の先端位置にばらつきが生じる場合でも、リブの弾性変形によって、リブと前記第１接続端子との間に安定した接触状態を確保することができ、ガタつき防止機能の信頼性を向上させることができる。
【００２８】
上記（３）の構成によれば、コネクタハウジング相互の嵌合が完了したとき、第１コネクタハウジングの端子収容筒部の外周に嵌合する第２コネクタハウジングの嵌合用筒部は、その先端部の端面、内周及び外周のそれぞれが、パッキンに密着し、パッキンとの密着面積が大きいため、より安定した防水性能を得ることができる。
【００２９】
上記（４）の構成によれば、コネクタハウジング相互の嵌合が完了した状態では、パッキンから嵌合用筒部に作用する付勢力が、第１コネクタハウジングの係止アームと第２コネクタハウジングの係合突起の後端との係合を強める方向に作用するため、よりしっかりと、コネクタハウジング相互を固定することができ、コネクタハウジング相互のガタつきを防止することができる。
【発明の効果】
【００３０】
本発明による防水コネクタによれば、第１コネクタハウジングと第２コネクタハウジングとの嵌合が完了したとき、フロントホルダの先端と第２コネクタハウジングの対向面との間には、隙間が存在していない。しかも、パッキンにより対向面に向かって弾性的に押圧されているため、コネクタハウジング間のガタつきを抑制する力を増大させている。
【００３１】
従って、コネクタハウジング相互の嵌合完了状態においては、フロントホルダの嵌合方向へのガタつきが抑制され、端子接点部の摺動を防止することができ、端子接点部の摩耗を抑止することができる。
【図面の簡単な説明】
【００３２】
【図１】本発明に係る防水コネクタの一実施形態の分解斜視図である。
【図２】図１に示した第１接続端子の分解斜視図である。
【図３】図１に示した第１コネクタハウジング及び第２コネクタハウジングの嵌合完了状態の縦断面図である。
【図４】図３のＣ部の拡大図である。
【図５】図３のＤ部の拡大図である。
【図６】図５の要部の拡大図である。
【図７】従来の防水コネクタの２つのコネクタハウジングの嵌合前の状態を示す縦断面図である。
【図８】図７に示した２つのコネクタハウジングの嵌合完了状態を示す縦断面図である。
【発明を実施するための形態】
【００３３】
以下、本発明に係る防水コネクタの好適な実施形態について、図面を参照して詳細に説明する。
【００３４】
図１は本発明に係る防水コネクタの一実施形態の分解斜視図、図２は図１に示した第１接続端子の分解斜視図、図３は図１に示した第１コネクタハウジング及び第２コネクタハウジングの嵌合完了状態の縦断面図である。
【００３５】
この一実施形態の防水コネクタ３１は、第１コネクタハウジング３３と、第２コネクタハウジング３４と、環状のパッキン３５と、フロントホルダ３６と、を備えている。
【００３６】
第１コネクタハウジング３３は、図２及び図３に示すように、第１接続端子３８を収容する端子収容筒部３９と、該端子収容筒部３９との間に収容空間４０を画成する外郭筒部（フード部）４１と、係止アーム（ロックアーム）４２と、を備えている。
【００３７】
第１接続端子３８は、電線４４の端部に圧着接続する電線圧着部３８ａと、雄型接続端子が嵌合する角筒状の端子嵌合部３８ｂとを備えた雌型接続端子である。第１接続端子３８に接続された電線４４には、後述する端子収容筒部３９の端子収容孔３９ａとの間の隙間を埋めて外部から端子収容孔３９ａへの雨滴等の浸入を防止する防水栓４５が装着されている。
【００３８】
端子収容筒部３９は、図２及び図３に示すように、第１接続端子３８をハウジング後端から挿入可能なように、第１接続端子３８を収容する端子収容孔３９ａが、後端から前方に貫通形成されている。端子収容筒部３９は、端子収容孔３９ａ内に突出する端子係止ランス３９ｂが一体形成されている。端子係止ランス３９ｂは、基準位置まで端子収容孔３９ａ内に挿入された第１接続端子３８の凹部３８ｄに係合して第１接続端子３８の抜けを防止する。
【００３９】
端子収容筒部３９の外周囲の収容空間４０は、後述するパッキン３５及び第２コネクタハウジング３４の嵌合用筒部を収容する空間である。収容空間４０の最奥部には、端子収容筒部３９の基端外周に嵌合させたパッキン３５を突き当てる突き当て面４０ａとなっている。
【００４０】
係止アーム４２は、第１コネクタハウジング３３と第２コネクタハウジング３４との嵌合が完了したときに、後述する第２コネクタハウジング３４の係合突起の後端に係合して第２コネクタハウジング３４の抜けを防止する。
【００４１】
第２コネクタハウジング３４は、収容空間４０に挿入されて端子収容筒部３９の外周に環状のパッキン３５を介して嵌合する嵌合用筒部４７と、該嵌合用筒部４７の軸方向（図３では、矢印Ｅ方向）中間部の外周に突設された係合突起４８と、第１接続端子３８に嵌合させる第２接続端子４９を嵌合用筒部４７の内側に支持した端子支持部５０と、を備えている。
【００４２】
係合突起４８は、第１コネクタハウジング３３と第２コネクタハウジング３４との嵌合が完了したときに、図３に示すように、後端４８ａが第１コネクタハウジング３３の係止アーム４２に係合して、第１コネクタハウジング３３と第２コネクタハウジング３４との嵌合状態をロックされる。
【００４３】
第２接続端子４９は、第１接続端子３８の端子嵌合部３８ｂ内に嵌合する雄型接続端子である。
【００４４】
端子支持部５０の内面は、第１コネクタハウジング３３と第２コネクタハウジング３４との嵌合が完了したときに、端子収容筒部３９の前方に対峙する対向面５０ａである。
【００４５】
環状のパッキン３５は、端子収容筒部３９の基端側外周に嵌合装備されて、第１コネクタハウジング３３と前記第２コネクタハウジング３４との嵌合が完了した状態のときに、端子収容筒部３９と嵌合用筒部４７とに密着状態に接触して、これら端子収容筒部３９と嵌合用筒部４７との間を封止（防水）する。
【００４６】
本実施形態のパッキン３５は、図４に示すように、端子収容筒部３９と嵌合用筒部４７の先端部４７ａとの間に挟持される内筒部６１と、嵌合用筒部４７の先端部４７ａの外周に嵌合する外筒部６３と、これら内筒部６１と外筒部６３の基端を連結して嵌合用筒部４７の先端面に当接する連結壁部６５と、を備えている。
【００４７】
また、図４に示すように、嵌合用筒部４７の先端部４７ａの内周に密着する内筒部６１の外周面、及び先端部４７ａの外周に密着する外筒部６３の内周面には、それぞれ、弾性変形して密着性を高めるリップ（突条）６１ａ，６３ａが、複数状（図では、３条）に設けられている。各リップ６１ａ，６３ａは、周方向に連続したリング状に設けられている。
【００４８】
なお、内筒部６１の内周面６１ｂは、端子収容筒部３９の外周に密着するシール面である。そして、外筒部６３の外周面６３ｂは、図３に示すように、外郭筒部４１の内周に密着するシール面である。これらの内周面６１ｂ及び外周面６３ｂは、いずれも、リップを設けていない平坦なシール面に形成されている。
【００４９】
以上の構成のパッキン３５は、図３及び図４に示すように、端子収容筒部３９の基端外周に適正に嵌合装備された状態では、連結壁部６５が収容空間４０の突き当て面４０ａに突き当たった状態で収容空間４０に収容される。
【００５０】
フロントホルダ３６は、図２に示すように、端子収容筒部３９の先端部３９ｃの外周に嵌合装着される筒状部７１と、端子収容孔３９ａの前方を覆う先端壁７３とを備えている。筒状部７１は、図５に示すように、その後端（図５では左端）７１ａをパッキン３５の内筒部６１の先端６１ｃに当接することにより、環状のパッキン３５を抜け止めする。
【００５１】
また、先端壁７３は、図５に示すように、第２接続端子４９を第１接続端子３８側に誘導する端子誘導孔７３ｃを有している。更に、先端壁７３の内面には、図５に示すように、端子収容筒部３９に収容された第１接続端子３８の端子嵌合部３８ｂの先端に当接するリブ７５が突設されている。このリブ７５は、図３に示すように、端子係止ランス３９ｂとの協働で、端子収容筒部３９内の第１接続端子３８を挟持固定して、端子収容孔３９ａ内での第１接続端子３８のガタつきを規制する。
【００５２】
即ち、フロントホルダ３６は、端子収容筒部３９の先端部３９ｃに嵌合装着されて、パッキン３５の抜け止めを果たすと共に、端子収容孔３９ａに挿入された第１接続端子３８の先端部の位置決めを果たす。更に、本実施形態のフロントホルダ３６は、第２コネクタハウジング３４の対向面５０ａを押すことにより、コネクタハウジング３３，３４間のガタつきを抑える力を増大させると共に、端子係止ランス３９ｂとの協働で、端子収容孔３９ａ内での第１接続端子３８のガタつきを規制する。
【００５３】
本実施形態の場合、図３に示すように、第１コネクタハウジング３３と第２コネクタハウジング３４との嵌合が完了したとき、フロントホルダ３６の先端（具体的は、先端壁７３の前面７３ａ）が、第２コネクタハウジング３４の対向面５０ａに当接すると共に、該フロントホルダ３６の後端７１ａにはパッキン３５から対向面５０ａに向かう押圧力が作用して、フロントホルダ３６の嵌合方向（図３の矢印Ｅ方向）への移動が規制される。
【００５４】
更に、本実施形態の場合、パッキン３５は、図４に示すように外筒部６３の先端６３ｃが係合突起４８の前端に当接し、係合突起４８の後端を係止アーム４２に押圧する方向の付勢力を嵌合用筒部４７に作用させる。
【００５５】
以上に説明した一実施形態の防水コネクタ３１では、図３に示すように、第１コネクタハウジング３３と第２コネクタハウジング３４との嵌合が完了したとき、フロントホルダ３６の先端は第２コネクタハウジング３４の対向面５０ａに当接し、フロントホルダ３６の先端と第２コネクタハウジング３４の対向面５０ａとの間には、隙間が存在していない。しかも、パッキン３５により対向面に向かって弾性的に押圧されているため、コネクタハウジング３３，３４間のガタつきを抑える力を増大させている。
【００５６】
従って、コネクタハウジング相互の嵌合完了状態においては、フロントホルダ３６の嵌合方向へのガタつきが抑制され、端子接点部の摺動を防止することができ、端子接点部の摩耗を抑止することができる。
【００５７】
また、上記一実施形態の防水コネクタ３１では、端子収容筒部３９内には、当該端子収容筒部３９に挿入された第１接続端子３８と係合して第１接続端子３８の抜け止めをする端子係止ランス３９ｂが一体形成されている。また、図５に示すように、フロントホルダ３６には、端子収容筒部３９に収容された第１接続端子３８の先端に当接して、端子係止ランス３９ｂとの協働で、端子収容筒部３９内の第１接続端子３８を挟持固定するリブ７５を備えている。
【００５８】
そのため、端子接点部の摩耗を招く第１接続端子３８のガタつきを防止することができる。
【００５９】
また、フロントホルダ３６のリブ７５は、フロントホルダの先端壁の内面を直接第１接続端子に当接させる場合と比較すると、第１接続端子３８との接触面積が小さくなるため、第１接続端子３８との接触部に弾性変形が生じ易く、各構成部品の寸法公差の影響等で第１接続端子３８の先端位置にばらつきが生じる場合でも、リブ７５の弾性変形によって、リブ７５と第１接続端子３８との間に安定した接触状態を確保することができ、ガタつき防止機能の信頼性を向上させることができる。
【００６０】
また、上記一実施形態の防水コネクタ３１では、パッキン３５は、前記端子収容筒部３９と前記嵌合用筒部４７との間に挟持される内筒部６１と、前記嵌合用筒部４７の先端部４７ａの外周に嵌合する外筒部６３と、これら内筒部６１と外筒部６３の基端を連結して前記嵌合用筒部４７の先端面に当接する連結壁部６５と、を備えている。
【００６１】
そのため、コネクタハウジング相互の嵌合が完了したとき、第１コネクタハウジング３３の端子収容筒部３９の外周に嵌合する第２コネクタハウジング３４の嵌合用筒部４７は、その先端部４７ａの端面、内周及び外周のそれぞれが、パッキン３５に密着し、パッキン３５との密着面積が大きいため、より安定した防水性能を得ることができる。
【００６２】
また、上記一実施形態の防水コネクタ３１では、第２コネクタハウジング３４は、嵌合用筒部４７の軸方向中間部の外周に係合突起４８を備えている。また、第１コネクタハウジング３３は、嵌合用筒部４７との間に嵌合用筒部４７を収容する収容空間４０を画成する外郭筒部４１と、第１コネクタハウジング３３と前記第２コネクタハウジング３４との嵌合が完了するときに前記係合突起４８の後端に係合して第２コネクタハウジング３４の抜けを防止する係止アーム４２と、を備えている。そして、パッキン３５は、係合突起４８の後端を係止アーム４２に押圧する方向の付勢力を嵌合用筒部４７に作用させる。
【００６３】
そのため、コネクタハウジング相互の嵌合が完了した状態では、よりしっかりと、コネクタハウジング相互を固定することができ、コネクタハウジング相互のガタつきを防止することができる。
【００６４】
なお、本発明の防水コネクタは、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００６５】
３１  防水コネクタ
３３  第１コネクタハウジング
３４  第２コネクタハウジング
３５  パッキン
３６  フロントホルダ
３８  第１接続端子
３８ｂ  端子嵌合部
３８ｄ  凹部
３９  端子収容筒部
３９ｂ  端子係止ランス
４０  収容空間
４０ａ  突き当て面
４１  外郭筒部
４２  係止アーム
４７  嵌合用筒部
４７ａ  先端部
４８  係合突起
４９  第２接続端子
５０  端子支持部
５０ａ  対向面
６１  内筒部
６１ｃ  先端
６３  外筒部
６３ｃ  先端
６５  連結壁部
７１  筒状部
７１ａ  後端
７３  先端壁
７３ａ  前面（先端）
７５  リブ
【図１】
2011119103.tif 000003
【図２】
2011119103.tif 000004
【図３】
2011119103.tif 000005
【図４】
2011119103.tif 000006
【図５】
2011119103.tif 000007
【図６】
2011119103.tif 000008
【図７】
2011119103.tif 000009
【図８】
2011119103.tif 000010